(57)【特許請求の範囲】
【請求項１】
撮像画像の照度ムラを低減するべく照度ムラ補正を指示する指示手段と、照度ムラ補正が指示されたとき、撮像手段で取り込まれた画像を複数の小画像に分割する画像分割手段と、小画像毎に、その小画像を構成する画素信号を用いてγ特性を設定するγ特性設定手段と、照度ムラ補正が指示されたとき、小画像毎に対応するγ特性を用いて撮像画像のガンマ補正を行なうガンマ補正手段とを備えたデジタルカメラであって、閃光を発光する閃光発光手段と、照度ムラ補正が指示されたとき、上記閃光発光手段の閃光発光を禁止する発光禁止手段とを備えたことを特徴とするデジタルカメラ。
【発明の詳細な説明】
【０００１】
【発明の属する技術分野】
本発明は、静止した被写体光像を電気信号に光電変換して取り込むデジタルカメラに関するものである。
【０００２】
【従来の技術】
従来、デジタル複写機等の画像形成装置においては、記録紙に複写された文字や図形等の情報の明瞭度を高めるため、電気信号に光電変換して取り込まれた画像に対して比較的γ値の大きいγ特性（２値化処理に近い特性を有するγ特性）を用いて画像処理（ガンマ補正処理）が行なわれている。また、このガンマ補正処理においては、一般に、照度ムラの影響を低減するため、図３６に示すように、撮像画像Ｇを副走査方向に複数の短冊状のブロックＢ（１），Ｂ（２），…Ｂ（ｎ）に分割し、各ブロックＢ（ｒ）内に含まれる画素データのレベル分布を示すヒストグラムに基づいて各ブロック毎にγ特性γ（１），γ（２），…γ（ｎ）を設定し、各ブロックＢ（ｒ）（ｒ＝１，２，…ｎ）内の画素データは、そのブロックに対するγ特性γ（ｒ）を用いてガンマ補正が行なわれるようになっている。
【０００３】
このガンマ補正により所定レベル以上の白地部分が一律に一定の白色に変換されるとともに、所定レベル以下の文字部分（黒字部分）が一律に一定の黒色に変換されるので、２値化処理に近似した画質が得られるようになっている。
【０００４】
また、特開平６−１１３１３９号公報には、撮像画像を複数の部分画像ブロックに分割し、選択された部分画像ブロック（注目部分画像ブロック）とこの注目部分画像ブロックに隣接する複数の部分画像ブロックについて、ブロック毎にブロック内に含まれる画素データのレベル分布のヒストグラムを作成するとともに、このヒストグラムのデータを用いてニュ−ラルネットワークにより注目部分画像ブロックの閾値を設定し、この閾値を用いて注目部分画像ブロック内の画素データの２値化処理を行なう画像２値化装置が示されている。
【０００５】
【発明が解決しようとする課題】
ところで、デジタルカメラは、画像処理により撮影された画像の画質を自在に制御できることから、撮影の目的や被写体の種類に応じて撮影画像の画質の処理を適正に行なうことにより通常の銀塩フィルムに撮影するカメラに比してより好適な画質の画像を取り込むことができるという利点がある。このため、通常の写真撮影のためだけでなく、例えば会議場でホワイトボードに書かれた文字、図形等の情報を写し取るための機器として利用されている。
【０００６】
デジタルカメラで文字や図形等が書かれたホワイトボードを撮影する場合、その撮影の主目的は専らホワイトボード上の文字や図形等の情報の記録にあるので、このような撮影画像に対しては上記デジタル複写機と同様に白地部分（ホワイトボードの部分）を白く飛ばして情報部分（文字や図形の部分）の明瞭度を高めるようなガンマ補正を行なうことが望ましい。
【０００７】
この場合、ホワイトボード上の文字密度のバラツキや照度ムラが大きいので、撮像画像を２次元的に複数のブロックに分割し、ブロック単位でガンマ補正を行なうことにより照度ムラの補正（シェーディング補正）を行なうことが望ましい。
【０００８】
すなわち、部屋の天井灯と窓外の太陽光とによりホワイトボードが照明されているとすると、照明光の不均一により照度ムラが生じ、かつ、また、撮影レンズの入射瞳に角度ωで入射する光軸外物点の像はｃｏｓ４ωに比例して暗くなるという、いわゆるコサイン４乗則による入射光量分布と上記照度ムラとの相乗効果により、ＣＣＤ等の撮像素子の出力分布は撮像面内で２次元方向に大きく変動する。
【０００９】
このため、撮像画像を２次元的に複数のブロックに分割し、各ブロック毎にそのブロック内の照度に応じたガンマ補正をして照度ムラ補正を行なうことが望ましい。そして、より好ましくは、隣接するブロック間でブロック毎に設定されたγ特性が大きく変化する場合にこのγ特性の急変に起因してブロックの境界に偽線が生じるのを回避するため、ブロックサイズを可及的に小さくして各ブロックに適正なγ特性を設定するようにするのがよい。
【００１０】
ところで、内蔵フラッシュを備えたデジタルカメラにおいては、会議場でホワイトボードに書かれた文字や図形等を写し取る際、通常、照明光量が十分でないため、内蔵フラッシュが自動発光され、フラッシュ撮影となることが多い。このようなフラッシュ撮影において、ホワイトボードを正面から撮影すると、フラッシュ光がホワイトボードで正反射し、この反射光によりホワイトボード上の文字等が白く飛んでしまうため、情報価値の低い画像が撮影されることになる。また、照度ムラを補正する画像処理機能を設けていても、フラッシュ光の正反射光を含むブロックでは正確なγ特性が設定できず、効果的に照度ムラ補正を行なえないという問題が生じる。
【００１１】
デジタル複写機においては、人工光源により原稿を斜め方向から照明しているので、上述したデジタルカメラにおけるフラッシュ撮影特有の問題は生じることはない。
【００１２】
また、上記特開平６−１１３１３９号公報に記載の２値化処理技術も、主としてコピー装置やファクシミリ装置における２値化処理に関するものであるので、同公報にも上述したデジタルカメラにおけるフラッシュ撮影特有の問題やそれを示唆する記述は全くなされていない。
【００１３】
本発明は、上記課題に鑑みてなされたものであり、不十分な照明下でホワイトボード上に記載された文字等の情報をフラッシュ撮影する際の撮影ミスを防止し、照度ムラ補正を有効に行なうことのできるデジタルカメラを提供するものである。
【００１４】
【課題を解決するための手段】
本発明は、撮像画像の照度ムラを低減するべく照度ムラ補正を指示する指示手段と、照度ムラ補正が指示されたとき、撮像手段で取り込まれた画像を複数の小画像に分割する画像分割手段と、小画像毎に、その小画像を構成する画素信号を用いてγ特性を設定するγ特性設定手段と、照度ムラ補正が指示されたとき、小画像毎に対応するγ特性を用いて撮像画像のガンマ補正を行なうガンマ補正手段とを備えたデジタルカメラであって、閃光を発光する閃光発光手段と、照度ムラ補正が指示されたとき、上記閃光発光手段の閃光発光を禁止する発光禁止手段とを備えたものである。
【００１５】
上記構成によれば、指示手段により照度ムラ補正が指示されていると、閃光発光手段の発光が禁止され、閃光発光が指示されている場合にも閃光発光を行なうことなく撮影が行なわれる。撮像手段で取り込まれた画像は複数の小画像に分割され、小画像毎に各小画像を構成する画素信号を用いてγ特性が設定される。このγ特性は、所定の白色飽和レベルＷ以上の入力レベルに対する出力レベルを飽和させて白地を強調する特性を有するものである。そして、撮像画像は、小画像毎に対応するγ特性を用いてガンマ補正が行なわれる。
【００１６】
例えばホワイトボート上に書かれた文字、図形等の情報を撮影する場合、この撮影画像の照度ムラを低減するべく照度ムラ補正が指示されているとき、撮影の際に閃光発光が指示されても、閃光を発光しないで撮影が行なわれる。これにより閃光がホワイトボートで正反射して文字等の情報を不明瞭にすることがなくなる。
【００１７】
【発明の実施の形態】
図１は、本発明に係るデジタルカメラの外観を示す斜視図である。また、図２は、同デジタルカメラの背面図である。
【００１８】
同図に示すカメラ１は撮像素子としてＣＣＤエリアセンサを備え、このＣＣＤエリアセンサで撮像された画像データが、図略のＰＣＭＣＩＡ準拠のハードディスクカードに記録されるようになっている。なお、本実施の形態では撮像素子としてエリアセンサを用いた場合について説明するが、ラインセンサにより被写体光像をスキャンして画像データを取り込む構成にしてもよい。
【００１９】
カメラ１はホワイトボード上に書かれた文字、図形等の情報（以下、この種の２値情報を文字情報という。）の撮影画像に対してホワイトボードに対する照明光（天井灯や窓外の太陽光等）のムラやＣＣＤエリアセンサの感度のバラツキに起因する照度ムラの補正機能を備えている。
【００２０】
すなわち、例えば図４に示すように、部屋の天井灯と窓外の太陽光とによりホワイトボード２３が照明されているとすると、照明光の不均一により照度ムラが生じ、かつ、また、撮影レンズの入射瞳に角度ωで入射する光軸外物点の像はｃｏｓ４ωに比例して暗くなるという、いわゆるコサイン４乗則による入射光量分布とこの照度ムラとの相乗効果により、ＣＣＤエリアセンサの出力分布は、図５（ａ），（ｂ）に示すように、撮像面内で２次元的に大きく変動する。カメラ１では、後述する文字画モードで撮影した場合は、各画素データ毎にあるいは複数の画素データ単位で適切なγ特性を設定し、そのγ特性を用いて各画素データもしくは各画素データ単位でガンマ補正を行なうことにより、２次元的に生じるＣＣＤエリアセンサの出力変動が可及的に低減される。
【００２１】
なお、図５において、実線はホワイトボード２３に何も書かれていない場合で、ホワイトボード２３の白地部分の出力分布を示し、点線はホワイトボード２３に文字が書かれていた場合の文字部分の出力分布を示している。
【００２２】
ここで、照度ムラ補正について簡単に説明する。
文字情報を撮影した画像は主として情報の記録が目的であり、描写性よりも情報の判読性の高い画質が要求されることから、ホワイトボードの白地部分に対する文字情報部分のコントラストを高くして文字情報の明瞭化を図るとともに、照度ムラを低減して全体的に見易くすることが望ましい。
【００２３】
本実施の形態で、図６に示すように、撮像画像Ｇを縦横に複数の正方形のブロックＢ（Ｉ）（同図ではＩ＝１，２，…１８）に分割し、各ブロックＢ（Ｉ）に含まれる画素データのレベル分布のヒストグラムを用いて算出された白地レベルＷにより、図７に示すようなγ特性をそのブロック（Ｉ）の中心位置Ｏ（Ｉ）に対するγ特性γ（Ｉ）として設定し、更に設定されたγ特性γ（Ｉ）を用いて各ブロックＢ（Ｉ）の中心位置Ｏ（Ｉ）以外の画素位置Ｐのγ特性γ（Ｐ）を補間し、これらのγ特性γ（Ｉ），γ（Ｐ）を用いて対応する画素位置Ｏ（Ｉ），Ｐの画素データのガンマ補正を行なうことにより文字情報の明瞭化と照度ムラ補正とを行なうようにしている。
【００２４】
なお、図７は画素データを８ビットデータにＡ／Ｄ変換した場合のもので、入出力レベルのレベル値「２５５」は最大値を示している。また、同図に示すγ特性では、入力レベルＷ以上の画素データは全て最大レベルに飽和した画素データに変換されるので、撮像画像は入力レベルＷ以上の画素データからなる白地部分が一律に最大明度の白色となる画質に補正される。これにより白地部分に対する文字情報部分のコントラストが強調され、文字情報の明瞭化が図られる。
【００２５】
また、必要に応じて照度ムラ補正後の画像に対し、図８に示すようなγ特性を用いてガンマ補正を行なうことにより文字情報部分の黒字強調が行なわれる。すなわち、照度ムラ補正後の画像は入力レベルＢ以下の画素データからなる黒地部分が一律に最小明度の黒色となる画質に補正され、これによりホワイトボード２３に書かれた文字、図形等の濃度、線の太さ、線密度に応じて文字部分の黒色強調がなされ、文字情報の明瞭化の適正化が図られるようになっている。なお、照度ムラ補正におけるガンマ補正処理の詳細については後述する。
【００２６】
図１に戻り、カメラ１は前面の略中央にズームレンズから成る撮影レンズ２が配設され、その上部にアクティブ測距方式により被写体距離を測定するための投光窓４と受光窓５とが配設され、両窓の間に被写体の輝度を測定するための測光窓３が配設されている。また、投光窓４の左側にファインダー対物窓６が配設され、受光窓５の右側にフラッシュ７が配設されている。
【００２７】
カメラ本体内の撮影レンズ２の結像位置には、図３に示すように、横長長方形のＣＣＤエリアセンサ２１（以下、ＣＣＤ２１と略称する。）が配設され、このＣＣＤ２１と撮影レンズ２との間に絞り２２が配設されている。
【００２８】
投光窓４は被写体に対して赤外光を照射する窓であり、受光窓５はこの赤外光の被写体からの反射光を受光する窓である。なお、本実施の形態では測距方式としてアクティブ測距方式を採用しているが、パッシブ測距方式でもよい。
【００２９】
カメラ１の側面にはハードディスクカード１３が装着脱されるカード挿入口８が設けられ、このカード挿入口８の上部にハードディスクカード１３をイジェクトするためのカード取出ボタン９が設けられている。撮影結果をプリントアウトする場合、カード取出ボタン９を押してハードディスクカード１３をカメラ１から取り外し、ハードディスクカードが装着可能なプリンタにこのハードディスクカード１３を装着してプリントアウトすることができる。
【００３０】
なお、カメラ１にＳＣＳＩケーブルのインターフェースを設け、カメラ１とプリンタとをＳＣＳＩケーブルで接続して直接、カメラ１からプリンタに画像データを転送して撮影画像をプリントアウトさせるようにしてもよい。
【００３１】
また、本実施の形態では画像データの記録媒体としてＰＣＭＣＩＡ準拠のハードディスクカードを採用しているが、撮影結果を画像データとして記憶できるものであれば、メモリカードやミニディスク（ＭＤ）等の他の記録媒体でもよい。
【００３２】
カメラ１の上面には左端部にシャッタボタン１０が設けられ、右端部にズームスイッチ１１と撮影／再生スイッチ１２が設けられている。シャッタボタン１０は半押しで焦点距離調節、露出制御値設定等の撮影準備を指示するＳ１スイッチがＯＮになり、全押しでレリーズを指示するＳ２スイッチがＯＮになる操作ボタンである。ズームスイッチ１１は左右にスライド可能な３接点スイッチから成り、ズームスイッチ１１をＴ（ＴＥＬＥ）側にスライドさせると、望遠側に、また、Ｗ（ＷＩＤＥ）側にスライドさせると、広角側に、撮影レンズ２のズーム比を連続的に変更することができる。
【００３３】
撮影／再生スイッチ１２は撮影モードと再生モードとを切換設定するスイッチである。撮影／再生スイッチ１２は左右にスライド可能な２接点切換スイッチから成り、撮影／再生スイッチ１２が撮影（ＲＥＣ）側に設定されていると、被写体の撮影（撮像画像のハードディスクカード１３への記録）が可能になり、再生（ＰＬＡＹ）側に設定されていると、ハードディスクカード１３に記録された撮像画像のＬＣＤ表示部１９（図２参照）へのモニター表示が可能になる。
【００３４】
カメラ１の背面には、図２に示すように、その上部の左端部と略中央とにそれぞれ電源投入用のメインスイッチ１４とファインダー接眼窓１５とが設けられ、右上隅部にブザー１６が設けられている。このブザー１６は、ホワイトボード２３上の文字情報を撮影する際、照明光がホワイトボード２３で正反射して文字情報が不明瞭になることを撮影者に警告するためのものである。以下、この警告のことを「正反射警告」という。
【００３５】
また、メインスイッチ１４の下部に照度ムラ補正スイッチ１７及び黒色濃度調整スイッチ１８が設けられ、この黒色濃度調整スイッチ１８の右側に正反射警告スイッチ２０が設けられている。更に、カメラ１の背面の右下隅部にはＬＣＤ表示部１９が設けられている。
【００３６】
照度ムラ補正スイッチ１７は上述した照度ムラ補正を指示するスイッチである。照度ムラ補正スイッチ１７は操作ボタンが左右にスライドするＯＮ／ＯＦＦスイッチで構成されている。照度ムラ補正スイッチ１７により照度ムラ補正が指示されると、撮影画像を複数のブロック（小画像）に分割し、ブロック毎にそのブロックに含まれる画素データを用いて設定された図７に示すようなγ特性に従ってガンマ補正が行なわれる。一方、照度ムラ補正スイッチ１７がＯＦＦになっているときは、予め設定された通常の写真撮影に適したγ特性（被写体の有する階調を可能な限り忠実に再生し得る描写性の高い画質が得られるようなγ特性）を用いて撮像画像のガンマ補正処理が行なわれる。
【００３７】
照度ムラ補正は、ホワイトボードに書かれた文字情報を撮影する際の照度ムラによる画質劣化を改善するもので、主としてこのような文字情報を撮影するときに適用される。従って、文字、図形等の情報を撮影した画像を「文字画」とし、風景や人物を撮影した画像を「自然画」として撮影画像の内容を２種類に分けると、照度ムラ補正スイッチ１７は撮影画像の画像処理（特にガンマ補正処理）を文字画モードと自然画モードとに切り換えるスイッチとなっている。
【００３８】
撮影者は文字画を撮影するときは、照度ムラ補正スイッチ１７を「ＯＮ」に設定することにより文字画に適した画質（白地部分を白く飛ばして文字等の情報が適切に強調された画質）の撮影画像を得ることができ、自然画を撮影するときは、照度ムラ補正スイッチ１７を「ＯＦＦ］に設定することにより自然画に適した画質（描写性の高い画質）の撮影画像を得ることができる。
【００３９】
黒色濃度調整スイッチ１８は、照度ムラ補正後の画像に対して黒色強調のガンマ補正におけるγ特性の黒色飽和レベルＢ（図８参照）を調整するスイッチである。黒色濃度調整スイッチ１８は操作ボタンが左右にスライドする３接点スイッチで構成されている。黒色濃度調整スイッチ１８は照度ムラ補正スイッチ１７が「ＯＮ」に設定されているとき（文字画モードが設定されているとき）にのみ機能する。文字画モードにおいて、黒色濃度調整スイッチ１８がＯＦＦ状態に設定されているときは、図９に示すように、γ特性の黒色飽和レベルは予め設定された所定レベルＢ０に設定され、黒色濃度調整スイッチ１８が「濃」に設定されると、γ特性の黒色飽和レベルは所定レベルＢ０より大きい所定のレベルＢ１（＞Ｂ０）に切換設定され、「淡」に設定されると、γ特性の黒色飽和レベルは所定レベルＢ０より小さい所定レベルＢ２（＜Ｂ０）に切換設定される。
【００４０】
文字画モードの画像処理では、下地部分を白く飛ばすようにγ特性の白色飽和レベルが自動調整されるが、更に黒色濃度調整スイッチ１８により黒色飽和レベルを変更することにより文字部分の濃度を変更して下地（白地）とのコントラストを調整することができる。
【００４１】
例えばホワイトボードに書かれた文字と原稿に書かれた文字とを比較すると、一般にホワイトボードの文字の方が原稿の文字よりも太く、大きいから、原稿を撮像した場合にホワイトボードの場合と同様のガンマ補正を行なうと、下地に対する文字のコントラストがホワイトボードの場合に比して低下することになる。従って、原稿を撮影する場合は、黒色濃度調整スイッチ１８を「濃」に設定することにより文字部分の黒色を強調し、下地に対する文字部分のコントラストを好適に調整することができる。
【００４２】
なお、本実施の形態では、黒色飽和レベルを２段階に切換設定するようにしているが、多段切換方式でもよく、連続的に切り換えられるようにしてもよい。
【００４３】
ＬＣＤ表示部１９は撮像画像をモニター表示するものである。撮影／再生スイッチ１２が再生側に設定されると、図略の選択スイッチにより指定されたコマの撮像画像がハードディスクカード１３から読み出されてＬＣＤ表示部１９に再生表示される。
【００４４】
正反射警告スイッチ２０は上述した正反射警告を行なうように指示するスイッチである。正反射警告スイッチ２０は操作ボタンが左右にスライドするＯＮ／ＯＦＦスイッチで構成されている。正反射警告スイッチ２０により「警告有り」が指示されていると、撮影画像を複数のブロック（小画像）に分割し、ブロック毎にそのブロックに含まれる画素データのレベル分布のヒストグラムを用いて正反射光の有無が判別され、いずれかのブロックで正反射光が検出されると、上記ブザー１６から警告音を発生される。また、図１０に示すように、ファインダー視野枠４２内に設けられた正反射警告用のＬＥＤ表示２４を発光して正反射光により撮影画像の画質低下を招くおそれがあることを警告する。一方、正反射警告スイッチ２０が「ＯＦＦ」になっているときは、上記正反射光の検出及び正反射警告は行なわれない。
【００４５】
なお、上記のように正反射警告を行なうか否かを撮影者の選択に委せているのは、正反射光は主として文字画モードにおける撮影で問題となり、通常の写真撮影と同様の撮影を行なう自然画モードでは逆に正反射光が撮影効果として有効に活用されることがあるので、撮影目的、撮影シーン等を考慮し、必要に応じて正反射警告をなし得るようにしたものである。従って、正反射警告スイッチ２０を設けることなく、常に正反射警告を行なわせるようにしてあってもよい。
【００４６】
図１１は、本発明に係るカメラ１のブロック構成図である。
同図において、上述した部材と同一部材には同一の番号を付している。また、ＣＣＤ駆動部３１は、ＣＰＵ３０から入力される露出制御値のシャッタースピードに基づいてＣＣＤ２１の撮像動作を制御するものである。ＣＣＤ２１はカラーエリアセンサから成り、ＣＣＤ駆動部３１から入力される制御信号に基づき撮像動作（電荷蓄積動作）を行ない、Ｒ，Ｇ，Ｂの各色成分の画素信号を時系列信号に変換して画像処理部３２に出力する。
【００４７】
画像処理部３２はＣＣＤ２１から出力された画素信号に所定の信号処理を施してハードディスクカード１３に出力するものである。画像処理部３２はＡ／Ｄ変換器３２１、画像メモリ３２２、第１γ特性設定部３２３、第２γ特性設定部３２４、第１γ補正部３２５、第２γ補正部３２６及びスイッチ回路３２７，３２８を有し、照度ムラ補正が指示されているときは、照度ムラ補正を行なう。照度ムラ補正はブロック毎に照度ムラ補正用のγ特性を設定し、そのγ特性を用いてガンマ補正を行なうことにより行なわれる。このとき、ブロックの中心位置間の部分に対するγ特性が補間され、この部分の画像信号を補間されたγ特性を用いてガンマ補正することによりブロック間のγ特性の相違に基づく画質の不連続が緩和される。
【００４８】
Ａ／Ｄ変換器３２１はＣＣＤ２１から読み出された画像信号に含まれる各画素信号をデジタルの信号（以下、画素データという。）に変換するものである。
【００４９】
画像メモリ３２２はＡ／Ｄ変換器３２１から出力された画素データを記憶するものである。画像メモリ３２２は撮像画像１枚分の画素データを記憶し得る容量を有し、撮像画像の画像処理が一括して行なえるようになっている。
【００５０】
なお、ブロックに分割した際、ブロックの行単位で画像処理を成し得るように、メモリの画像メモリ３２２の容量を、設定され得る最大のブロックサイズで撮像画像を複数のブロックに分割した際、少なくとも１行に配置されるブロックに含まれる画素データを記憶し得る容量とし、メモリの削減を図るようにしてもよい。すなわち、図１４に示すように、例えば撮像画像Ｇが最大ブロックサイズで３×３個のブロックＢ（１）〜Ｂ（９）に分割されるとすると、画像メモリ３２２の容量を各行に配置されるブロックＢ（１）〜Ｂ（３），ブロックＢ（４）〜Ｂ（６），ブロックＢ（７）〜Ｂ（９）に含まれる画素データを記憶し得る容量としてもよい。
【００５１】
第１γ特性設定部３２３は撮像画像の照度ムラ補正用のγ特性を設定するものである。第１γ特性設定部３２３は撮像画像を複数のブロックに分割し、ブロック毎に各ブロック内に含まれる画素データを用いて照度ムラ補正用のγ特性を設定する。第２γ特性設定部３２４は照度ムラ補正後の画像の黒色濃度強調用のγ特性を設定するものである。第２γ特性設定部３２４はＣＰＵ３０から入力される黒色濃度調整スイッチ１８の操作情報に基づいて黒色濃度強調用のγ特性を設定する。
【００５２】
また、第１γ補正部３２５は自然画に対するガンマ補正を行なう回路であり、第２γ補正部３２６は文字画に対するガンマ補正を行なう回路である。第１γ補正部３２５は予め設定された自然画に適したγ特性を用いて画像メモリ３２２から読み出された画素データのガンマ補正を行なう。第２γ補正部３２６は文字画の撮像画像を複数のブロックに分割し、ブロック毎に第１γ特性設定部３２３で設定された照度ムラ補正用のγ特性を用いて撮像画像を構成する画素データのガンマ補正を行なった後、第２γ特性設定部３２４で設定された黒色濃度強調用のγ特性を用いて画素データのガンマ補正を行なう。なお、文字画に対するガンマ補正については後述する。
【００５３】
また、スイッチ回路３２７は画像メモリ３２２と第１、第２γ補正部３２５，３２６との接続を切り換えるものであり、スイッチ回路３２８は第１，第２γ補正部３２５，３２６とハードディスクカード１３との接続を切り換えるものである。スイッチ回路３２７，３２８の切換制御は照度ムラ補正スイッチ１７の設定状態に対応してＣＰＵ３０から出力される制御信号により行なわれ、照度ムラ補正スイッチ１７が「ＯＦＦ」に設定されている（自然画モードが設定されている）と、画像メモリ３２２と第１γ補正部３２５及び第１γ補正部３２５とハードディスクカード１３とがそれぞれ接続され、照度ムラ補正スイッチ１７が「ＯＮ」に設定されている（文字画モードが設定されている）と、画像メモリ３２２と第２γ補正部３２６及び第２γ補正部３２６とハードディスクカード１３とがそれぞれ接続される。
【００５４】
ここで、文字画に対するガンマ補正（照度ムラ補正及び黒色強調補正）の方法について説明する。
【００５５】
上述したように、文字画の場合は、白地部分に対して相対的に文字部分の明瞭度を大きくすることが望ましいので、白地部分を白く飛ばすために、図７に示すように、所定の入力レベルＷで出力レベルを飽和させたγ特性が用いられる。
【００５６】
このγ特性における白色飽和レベルＷは、例えば文字画の画像を構成する緑色成分の画素データのレベル分布のヒストグラムを作成し、白地部分に相当する範囲内で最大頻度を有する階級が設定される。すなわち、文字、図形等の描かれたホワイトボード２３を撮影した画像について、緑色成分の画素データのレベル分布のヒストグラムを作成すると、図１５に示すように、一般に白地部分（ボード部分）に相当する山Ｕと黒字部分（文字部分）に相当する山Ｃとを有する二山分布になり、白地部分に相当する山Ｕのピークに対応するレベルｗがγ特性の白色飽和レベルＷとして設定される。
【００５７】
撮像画像全体を構成する緑色成分の画素データのヒストグラムから白色飽和レベルＷを決定したγ特性を設定し、このγ特性を用いて撮像画像全体のガンマ補正を行なうようにしてもよいが、ホワイトボード２３に手書きされたものは文字密度（白地部分に対する文字部分の比率）のバラツキが大きく、しかも写真撮影の場合は、照明装置を備えた複写機等の場合と異なり、光源が一定でなく、画面内で照度分布が大きく変化することから、撮像画面内の照度ムラが大きくなるので、好ましくは撮像画像を複数のブロックに分割し、各ブロック毎に設定したγ特性に従ってブロック単位でガンマ補正することにより照度ムラを補正することが望ましい。
【００５８】
本実施の形態に係るカメラ１では、通常の撮影モードの場合（すなわち、正面撮影の場合）、図１６に示すように、撮像画像Ｇを縦横にｎ（＝Ｋ（縦）×Ｌ（横））個のブロックＢ（Ｉ，Ｊ）（Ｉ＝１，２，…Ｋ，Ｊ＝１，２，…Ｌ）に分割し、各ブロックＢ（Ｉ，Ｊ）毎にそのブロックＢ（Ｉ，Ｊ）を代表する照度ムラ補正用のγ特性を設定するようにしている。この場合、ブロックＢ（Ｉ，Ｊ）のサイズ（面積）は略９（＝３×３）個の文字が入るサイズに設定されている。このようにブロックＢ（Ｉ，Ｊ）のサイズを文字数との関係で相対的に設定しているのは、ブロック内の画素データを用いてヒストグラムを作成した場合に、ホワイトボード２３に相当する部分の山Ｕが適度に急峻な山形となり、その山Ｕのピーク位置ｗを確実に検出できるようにするためである。
【００５９】
すなわち、図１７（ａ）に示すように、ブロックサイズを文字に対して相対的に小サイズに設定すると、ブロックＢ（Ｉ，Ｊ）内の文字部分の占める面積が大きく、ヒストグラムのホワイトボード２３に相当する部分の山Ｕが低くなるので、山Ｕのピーク位置ｗが誤検出されるおそれがあり、同図（ｂ）に示すように、ブロックサイズを文字に対して相対的に大サイズに設定すると、ブロックＢ（Ｉ，Ｊ）内での照度ムラが大きく、ヒストグラムのホワイトボード２３に相当する部分の山Ｕがなだらかになるので、この場合も山Ｕのピーク位置ｗが誤検出されるおそれがあるからである。
【００６０】
ブロックサイズを決定するには撮影画面に投影された文字の大きさを知る必要があるが、撮影画面に投影された文字の大きさｙ′はホワイトボード２３に書かれた文字の大きさｙ及び撮影倍率ｍからｙ′＝ｙ・ｍで算出することができ、しかもホワイトボード２３に書かれる文字の大きさｙは個人差があるとはいっても一定の範囲内にあると考えられるので、ホワイトボード２３に書かれる文字の大きさｙの代表値ｙ０と撮影倍率ｍ０とを実験的に決定しておけば、撮影画面に投影された文字の大きさｙ′は撮影倍率ｍから一意的に決定することができる。
【００６１】
本実施の形態では、ある撮影倍率ｍ０での撮影画面に投影された文字の大きさｙ０に基づいて基準となるブロックサイズＳ０を決定しておき、任意の撮影倍率ｍにおけるブロックサイズＳを撮影倍率ｍ０及びブロックサイズＳ０からＳ＝Ｓ０・ｍ／ｍ０の演算式で算出するようにしている。従って、ブロックサイズＳ０のブロック内に縦横（ｉ×ｊ）個の画素データが含まれているとすると、ブロックサイズＳに含まれる画素データの縦方向の個数ｉ′はｉ・ｍ／ｍ０個、横方向の個数ｊ′はｊ・ｍ／ｍ０となる。
【００６２】
なお、本実施の形態ではブロック内の文字数が９個となるように、ブロックサイズＳを設定しているが、これは一例であって、ホワイトボード２３に書かれる文字の大きさｙの代表値ｙ０を変更すれば、ブロック内の文字数も変化するものである。従って、ブロックサイズＳは代表値ｙ０の設定に応じて適宜、適当な文字数が含まれるように設定される。
【００６３】
また、本実施の形態では、撮影倍率ｍに応じてブロックサイズＳを変更するようにしているが、ブロックサイズＳ０を固定しておき、文字画の撮影においては撮影倍率ｍがブロックサイズＳ０に対する所定値ｍ０となるように調整するようにしてもよい。すなわち、図１８に示すように、ファインダー視野枠４２内にブロックサイズＳ０に相当するブロック枠４３を表示させ、撮影者がこのブロック枠４３内のホワイトボード２３に書かれた文字が９個入るように、撮影レンズ２のズーム比もしくは被写体距離を調整するようにしてもよい。また、ブロック枠４３は常時、表示させるようにしてもよいが、文字画モードが設定されたときにのみ表示させるようにしてもよい。
【００６４】
更に、上記実施の形態では、設定された各ブロックＢ（Ｉ，Ｊ）について全てヒストグラムを作成し、このヒストグラムから照度ムラ補正用のγ特性の白色飽和レベルＷを設定するようにしているが、縦方向については比較的照度ムラが少なく、横方向にのみ照度ムラが大きい場合は、図１９に示すように、撮像画像Ｇの中央を通る横方向のブロックＢ（３，１），Ｂ（３，２），…Ｂ（３，９）についてのみヒストグラムを作成してそのヒストグラムからγ特性の白色飽和レベルＷを設定し、他のブロックＢ（Ｉ，Ｊ）（Ｉ＝１，２，４，５、Ｊ＝１，２，…９）については、そのブロックが含まれる列で設定されたブロックＢ（３，ｒ）で設定されたγ特性を適用するようにしてもよい。例えば第１列目に含まれるブロックＢ（１，１），Ｂ（２，１），Ｂ（４，１），Ｂ（５，１）についてはブロックＢ（３，１）で設定されたγ特性を適用する。
【００６５】
逆に縦方向については比較的照度ムラが少なく、横方向にのみ照度ムラが大きい場合は、図２０に示すように、撮像画像Ｇの中央を通る縦方向のブロックＢ（１，５），Ｂ（２，５），…Ｂ（５，５）についてのみヒストグラムを作成してそのヒストグラムからγ特性の白色飽和レベルＷを設定し、他のブロックＢ（Ｉ，Ｊ）（Ｉ＝１，２，…５、Ｊ＝１〜４，６〜９）についてはそのブロックが含まれる行で設定されたブロックＢ（ｒ，５）で設定されたγ特性を適用するようにしてもよい。例えば第１行目に含まれるブロックＢ（１，１），Ｂ（１，２），Ｂ（１，３），Ｂ（１，４），Ｂ（１，６），Ｂ（１，７），Ｂ（１，８），Ｂ（１，９）についてはブロックＢ（１，５）で設定されたγ特性を適用する。このようにすると、γ特性の演算時間の短縮及び設定されたγ特性を記憶するメモリの容量の低減を図ることができる。
【００６６】
また、上記実施の形態では、撮像画像Ｇ全体をマトリックス状に均等に分割してブロックＢ（Ｉ，Ｊ）を連続的に設定しているが、図２１に示すように、撮像画面Ｇ内に複数のブロックＢ（Ｉ，Ｊ）を離散的に設定するようにしてもよい。このようにすると、ブロック数が少なくなるので、上記例と同様にγ特性設定のための演算時間を短縮することができるとともに、演算されたγ特性を記憶するためのメモリの容量を低減することができる。
【００６７】
次に、緑色成分の画素データのヒストグラムから照度ムラ補正用のγ特性を決定する方法について説明する。
【００６８】
ブロックＢ（Ｉ，Ｊ）内に含まれる（ｉ×ｊ）個の画素データｇ（１，１），ｇ（１，２），…ｇ（ｉ−１，ｊ），ｇ（ｉ，ｊ）の内、最大レベルから低レベル側に積算して予め設定されたＸ（％）分の画素データを除去し、残りの画素データを用いてレベル分布のヒストグラムが作成される。例えばブロック内に含まれる総画素データ数を１００００個とし、Ｘ＝３％とすると、最大レベルｑの画素データから低レベル側に順次、積算して得られる３００個の画素データを除去し、残りの９７００個の画素データを用いてヒストグラムが作成される。ハイレベル側のＸ％の画素データを除去するのは、ノイズ等の悪影響を回避するためである。
【００６９】
このヒストグラムは、一般に、図２２に示すように二山分布となり、ハイレベル側の山Ｕはホワイトボード２３の下地部分に相当し、ローレベル側の山Ｃは文字部分に相当している。なお、同図における階級ｐはブロックＢ（Ｉ，Ｊ）内に含まれる画素データの内の最大レベルであり、階級ｑ（＜ｐ）はヒストグラムの階級の最大値である。
【００７０】
ヒストグラムが作成されると、最大階級ｐから低レベル側に予め設定された範囲ｄに含まれる分布内で最も頻度の高い階級ｗが算出され、この階級ｗが照度ムラ補正用のγ特性の白色飽和レベルＷに設定される。上記範囲ｄは、ブロックサイズが文字数との関係で所定サイズに設定されているので、通常の照度で撮影されているブロックであれば、ハイレベル側の山Ｕのみが確実に含まれると推定される範囲である。例えば画素データが８ビットで、０〜２５５の階調を有している場合、上記範囲ｄはおよそ４８程度に設定される。
【００７１】
従って、例えば最大階級ｑが２００であれば、階級範囲１５２〜２００内で最大頻度を有する階級ｗが算出され、この階級ｗが、例えばｗ＝１８０であれば、白色飽和レベルＷ＝１８０に設定され、図２３に示すようなγ特性が決定される。
【００７２】
ところで、ホワイトボード２３が完全に白色でなく、僅かに色が着いていたり、カメラ１のホワイトバランス調整が不適切であると、照度ムラ補正用のγ特性と黒色強調用のγ特性とに従って行なわれるガンマ補正の等価的なγ特性のγ値は比較的大きいので、緑色成分の画素データを用いて設定された照度ムラ補正用のγ特性を赤色成分の画素データ及び青色成分の画素データのガンマ補正に適用することはできない。
【００７３】
すなわち、ホワイトボード２３のある領域での撮影データが完全に白色でなく、Ｒ，Ｇ，Ｂの各色成分の画素データのレベルＤＲ，ＤＧ，ＤＢが、例えば（ＤＲ，ＤＧ，ＤＢ）＝（１３０，１４０，１２５）であり、緑色成分の画素データを用いて設定された照度ムラ補正用のγ特性と黒色強調用のγ特性との等価的なγ特性（両γ特性を重ね合わせたγ特性）が、例えば図２４のように設定された場合、このγ特性を用いて赤色成分の画素データ及び青色成分の画素データのガンマ補正を行なうと、各色成分の出力は、同図に示すように、（ＤＲ，ＤＧ，ＤＢ）＝（１８５，２５５，１４０）となり、ガンマ補正後の画像は黄緑色に大きく色ずれを起こすことになる。
【００７４】
図２４に示すγ特性のγ値が小さければ（傾斜が緩やかであれば）、ガンマ補正後の各色成分の出力差は小さいので、色ずれは殆ど問題にならないが、文字画モードに適用されるγ特性は２値化処理に近いガンマ補正を行なうものであるため、γ値が比較的大きく設定されるため、緑色成分の画素データを用いて設定されたγ特性を赤色成分の画素データ及び青色成分の画素データのガンマ補正に適用することは困難となる。
【００７５】
上記のような白色部分の着色現象を回避する方法として、Ｒ，Ｇ，Ｂの各色成分の画素データを輝度データと色差データとに変換し、輝度データのみでガンマ補正を行なった後、再度、Ｒ，Ｇ，Ｂの色成分の画素データに逆変換する方法が考えられるが、この方法では色差データが保存されるため、例えばホワイトボード上に書かれた文字がインクの掠れた薄い色の文字である場合はガンマ補正後もその文字の薄い状態が残り、薄い文字を明瞭に再現することは困難となる。
【００７６】
本実施の形態では、緑色成分の画素データにより設定された照度ムラ補正用のγ特性を補正して各色成分に専用のγ特性を設定し、各色成分毎に専用のγ特性でガンマ補正することにより薄い色の文字であっても明瞭に再現することができるようにしている。
【００７７】
なお、各色成分に対するγ特性は、例えばレベルの余裕値を「５」とし、入力レベル（ＤＲ−５，ＤＧ−５，ＤＢ−５）が白色飽和レベルとなるように、各色成分の画素データを用いて設定される。例えば図２４に示すγ特性の例では、図２５（ａ）〜（ｃ）に示すように、Ｒ，Ｇ，Ｂの各色成分の入力レベル（１２５，１３５，１２０）が白色飽和レベル２５５となるように、Ｒ，Ｇ，Ｂの各色成分のγ特性が設定される。
【００７８】
なお、着色された白地部分を白色となるように、ガンマ補正するため、着色部分は本来の色よりずれることになるが、文字画では色の再現性より情報性が重視されるので、多少の色ずれは許容されるものと考えられる。
【００７９】
また、上記説明では、ブロック内に含まれる画素データのレベル分布のヒストグラムを作成し、このヒストグラムを用いて白色飽和レベルを決定する（すなわち、γ特性を設定する）ようにしているが、ヒストグラムの代りに画素データの演算によってγ特性を設定するようにしてもよい。
【００８０】
さて、上述の方法により各ブロックＢ（Ｉ，Ｊ）毎に照度ムラ補正用のγ特性を設定し、このγ特性を用いてブロック単位で画像のガンマ補正を行なうと、ブロック毎に照度ムラ補正用のγ特性が異なるので、ブロックの境界で画質が急変し、これによって境界線（偽線）が生じるおそれがある。すなわち、ブロックの境界で白地レベルが急変し、この白地レベルの不連続が境界線として生じるおそれがある。
【００８１】
そこで、本実施の形態では、各ブロックＢ（Ｉ，Ｊ）毎に設定された照度ムラ補正用のγ特性をそのブロックＢ（Ｉ，Ｊ）の中心位置の画素データに対するγ特性とし、隣接するブロックの中心位置間の画素データに対する照度ムラ補正用のγ特性を両ブロックの照度ムラ補正用のγ特性を用いで線形補間し、この線形補間したγ特性で中心位置以外の画素データをガンマ補正することによりブロック間のγ特性の相違に基づく画質の不連続を緩和するようにしている。
【００８２】
すなわち、図２６に示すように、ブロックＢ（Ｉ，Ｊ），Ｂ（Ｉ，Ｊ＋１），Ｂ（Ｉ＋１，Ｊ），Ｂ（Ｉ＋１，Ｊ＋１）の各中心位置をＡ，Ｂ，Ｃ，Ｄとすると、ＡＢＣＤで囲まれた領域ＡＲ１内の任意の位置Ｐに対する照度ムラ補正用のγ特性を、ブロックＢ（Ｉ，Ｊ），Ｂ（Ｉ，Ｊ＋１），Ｂ（Ｉ＋１，Ｊ），Ｂ（Ｉ＋１，Ｊ＋１）毎に設定された照度ムラ補正用のγ特性を用いて線形補間し、この補間したγ特性を用いて位置Ｐの画素データのガンマ補正が行なわれる。
【００８３】
位置Ｐに対する補間された照度ムラ補正用のγ特性は、ブロックＢ（Ｉ，Ｊ），Ｂ（Ｉ，Ｊ＋１），Ｂ（Ｉ＋１，Ｊ），Ｂ（Ｉ＋１，Ｊ＋１）についてそれぞれ算出された白色飽和レベルＷＡ，ＷＢ，ＷＣ，ＷＤは位置Ａ，Ｂ，Ｃ，Ｄに対するものとして扱われるので、これらの白色飽和レベルＷＡ，ＷＢ，ＷＣ，ＷＤから位置Ａ，Ｂ，Ｃ，Ｄに対して位置Ｐに内分する値ＷＰを下記（１）式により算出して設定される。
【００８４】
【数１】
0003631575.tif 000002
【００８５】
なお、上記内分法では撮像画像の周辺に位置するブロックＢ（１，１）〜Ｂ（１，Ｌ），Ｂ（２，Ｌ）〜Ｂ（Ｋ，Ｌ），Ｂ（Ｋ，Ｌ−１）〜Ｂ（Ｋ，１），Ｂ（Ｋ−１，１）〜Ｂ（２，１）において、各ブロックの中心位置より外側の部分のγ特性が補間されないが、この部分については外分法によりγ特性の線形補間を行なうようにすればよい。
【００８６】
また、各ブロックＢ（Ｉ，Ｊ）の中心位置を除く全ての位置についてγ特性を補間してもよいが、各ブロックＢ（Ｉ，Ｊ）の中心位置以外の部分を複数の画素データ（例えば４×４画素乃至６×６画素等）が含まれるブロックに分割し、このブロック単位でγ特性を線形補間するようにして補間演算の時間を短縮するようにしてもよい。
【００８７】
なお、上述の照度ムラ補正用のγ特性の補間処理は、各画素位置についてγ特性を設定しているので、各画素位置を中心とするブロックを設定し、そのブロックに含まれる画素データのレベル分布のヒストグラムを用いてγ特性を設定しても同様の結果が得られるが、この方法は、撮像画像Ｇに非常に沢山のブロックが設定されるため、γ特性の演算に長時間を要する欠点がある。また、隣接するブロック間では画素データの殆どが重複するため、作成されたヒストグラムに殆ど差異が見られないため、両ブロックについてそれぞれヒストグラムを作成する実益もないので、本実施の形態では、より高速演算が可能で、しかもメモリ容量の低減が可能なγ特性の線形補間処理を採用している。
【００８８】
図１２はカラー画像の画像処理を行なうためのＡ／Ｄ変換器３２１〜第１，第２γ補正部３２５，３２６までの構成を示すブロック構成図である。
【００８９】
画像メモリ３２２、第１γ特性設定部３２３、第１，第２γ補正部３２５，３２６及びスイッチ回路３２７はそれぞれＲ，Ｇ，Ｂの各色成分の画素データに対応して３個の同一構造の処理回路を有している。
【００９０】
例えばＲの色成分の画素信号はＡ／Ｄ変換器３２１Ａで画素データにＡ／Ｄ変換された後、画像メモリ３２２Ａに一時的に記録される。自然画モードにおいては、画像メモリ３２２Ａに記憶されたＲの色成分の画素データはスイッチ回路３２７を介して第１γ補正部３２５Ａに読み出され、所定の自然画用のγ特性を用いてガンマ補正が行なわれる。
【００９１】
一方、文字画モードにおいては、第１γ特性設定部３２３Ａによりブロック毎に各ブロックに含まれるＲの画素データのレベル分布のヒストグラムから照度ムラ補正用のγ特性が設定され、第２γ特性設定部３２４により黒色濃度調整スイッチ１７の調整値に基づき黒色調整用のγ特性が設定される。そして、画像メモリ３２２Ａに記憶されたＲの色成分の画素データはスイッチ回路３２７を介して第２γ補正部３２６Ａに読み出され、ブロック毎に照度ムラ補正用のγ特性を持ついてガンマ補正が行なわれた後、黒色濃度調整用のγ特性を用いてガンマ補正が行なわれる。
【００９２】
Ｇ，Ｂの各色成分の画素信号についても上述のＲの色成分の画素信号と同様に進行処理が行なわれる。
【００９３】
また、図１３は、Ｇの色成分に対する第１γ特性設定部３２３Ｂの内部構成を示すブロック図である。
同図において、ブロックサイズ設定部３２３ａは撮像画像を小画像のブロックＢ（Ｉ，Ｊ）に分割するためのブロックサイズを設定するものである。ブロックサイズ設定部３２３ａは、撮像画像をブロック分割するために、ＣＰＵ３０から入力される撮影画面中央の撮影倍率ｍと予め設定された基準サイズＳ０及び基準撮影倍率ｍ０とを用いてブロックサイズＳを設定する。
【００９４】
アドレス生成部３２３ｂはブロックサイズ設定部３２３ａで設定されたブロックサイズＳに基づいて各ブロックＢ（Ｉ，Ｊ）に含まれる画素データのアドレスを生成するものである。このアドレスデータはＣＣＤ２１からの画素信号に読出し及びＡ／Ｄ変換器３２１でのＡ／Ｄ変換に用いられるとともに、白色飽和レベル補間演算部３２３ｅにおける補間演算に用いられる。
【００９５】
ヒストグラム作成部３２３ｃは各ブロックＢ（Ｉ，Ｊ）毎にそのブロックに含まれる画素データのレベル分布のヒストグラム（図２２参照）を作成するものである。白色飽和レベル設定部３２３ｄはヒストグラム作成部３２３ｃで作成されたヒストグラムを用いて各ブロックＢ（Ｉ，ｊ）の中心位置に対するγ特性の白色飽和レベルＷ（図２３参照）を設定するものである。白色飽和レベル補間演算部３２３ｅはブロックＢ（Ｉ，ｊ）毎に設定されたγ特性の白色飽和レベルＷを用いて各ブロックＢ（Ｉ，ｊ）の中心位置以外の部分に対するγ特性の白色飽和レベルＷを補間設定するものである。
【００９６】
γ特性設定部３２３ｆは白色飽和レベル設定部３２３ｄ及び白色飽和レベル補間演算部３２３ｅにより設定された白色飽和レベルＷを用いて撮像画像の各画素データに対する照度ムラ補正用のγ特性を設定するものである。
【００９７】
正反射検出部３２３ｇは、正反射警告スイッチ２０により正反射警告が指示されているとき、ブロック単位で撮影画像に主被写体で正反射された照明光の画像が含まれるか否かを判別し、正反射光の画像を含む撮影画像を検出するものである。正反射検出部３２３ｇはブロック毎に作成されたヒストグラムの形状に基づいて各ブロックＢ（Ｉ，Ｊ）内に正反射光の画像が含まれるか否かを判別する。
【００９８】
すなわち、ホワイトボード２３に書かれた文字、図形等の文字情報が撮影された際、天井灯や窓外からの太陽光等の照明光がホワイトボード２３で正反射されていると、正反射光を受光した画素からは飽和レベルの画素データが出力されるので、正反射光の画像を含むブロックではホワイトボード２３の画像を構成する画素データの大部分は飽和レベルの画素データとなっている。このため、このブロックに対するヒストグラムの形状は、図２７に示すように、ホワイトボード２３に相当する山Ｕの最大頻度を有する階級ｗが最大階級ｐに略一致したものとなる。
【００９９】
正反射検出部３２３ｇは、照度ムラ補正用のγ特性における白色飽和レベルＷの設定方法と同様の方法でヒストグラムのホワイトボード２３に相当する山Ｕの最大頻度を有する階級ｗを算出するとともに、この算出結果と最大階級ｐとを比較し、階級ｗが最大階級ｐと略一致する場合は、そのブロックに正反射光の画像が含まれていると判別する。そして、この判別結果をＣＰＵ３０に出力する。
【０１００】
ＣＰＵ３０は正反射検出部３２３ｇの判別結果に応じてブザー１６を発音し、また、ＬＥＤ表示２４を点灯して正反射光を含む撮影画像であることの警告を行なう。
【０１０１】
なお、Ｒ，Ｂの色成分に対する第１γ特性設定部３２３Ａ，３２３Ｃは正反射検出部３２３ｇを除いてＧの色成分に対する第１γ特性設定部３２３Ｂと同一の内部構成を有している。
【０１０２】
図１１に戻り、カード駆動部３３は画像データを記録するべくハードディスクカード１３の駆動を制御するものである。発光制御部３４はフラッシュ７の発光を制御するものである。また、ＬＣＤ駆動部３５はＣＰＵ３０からの制御信号に基づき撮像画像のＬＣＤ表示部１９へのモニター表示を制御するものである。メモリ３６はＣＰＵ３０で演算された各種データを記憶するものである。
【０１０３】
レンズ駆動部３７はＣＰＵ３０から入力されるＡＦ制御値に基づき撮影レンズ２の合焦動作を制御するものである。また、ズーム駆動部３８はＣＰＵ３０から入力される駆動信号に基づき撮影レンズ２のズーム動作を制御するものである。絞り駆動部３９はＣＰＵ３０から入力される露出制御値の絞り値Ａｖに基づき絞り２２の開口量を制御するものである。
【０１０４】
測光部４０は測光窓３の後方位置に設けられたＳＰＣ等の受光素子からなり、被写体の輝度を測光するものである。測距部４１は被写体距離を検出するもので、投光窓４の後方位置に設けられ、赤外光を発光する投光部４１１と、受光窓５の後方位置に設けられ、被写体で反射した赤外光を受光する受光部４１２とからなる。
【０１０５】
ＣＰＵ３０はカメラの撮影動作を集中制御するものである。ＣＰＵ３０は撮影倍率演算部３０１を有し、測距部４１で検出された測距点（ＣＣＤ２１の撮像面の中央位置Ａ）における被写体距離ＤＡ及びその測距点における撮影倍率ｍＡを演算する。また、ＣＰＵ３０は露出制御値演算部３０２を有し、測光部４０で検出された被写体の輝度情報に基づき露出制御値（絞り値Ａｖ、シャッタースピードＴｖ）を演算し、その演算結果をそれぞれ絞り駆動部３９とＣＣＤ駆動部３１とに出力する。また、ＣＰＵ３０はＡＦ制御値演算部３０３を有し、測距部４１で検出された被写体距離ＤＡに基づき撮影レンズ２を合焦位置に設定するためのレンズ駆動量を演算し、その演算結果をＡＦ制御値としてレンズ駆動部３７に出力する。
【０１０６】
次に、上記カメラ１の撮影制御について、図２８〜図３１のフローチャートを用いて説明する。なお、撮影／再生スイッチ１２は撮影側に設定されているものとする。また、カメラ１が起動し、シャッタボタン１０によりＳ１スイッチがＯＮになると、ＣＣＤ２１により所定の周期で被写体像の取込み及び画像処理が行なわれ、Ｓ２スイッチがＯＮになると、この後に取り込まれた画像が所定の画像処理を経てハードディスクカード１３に記録される。
【０１０７】
メインスイッチ１４をオンにし、カメラ１を起動すると、撮影可能の状態となる。この状態でズームスイッチ１１が操作されると（＃２でＹＥＳ）、その操作方向及び操作量に応じて撮影レンズ２内のズームレンズが駆動され、ズーム比が変更される（＃４）。この後、シャッタボタン１０が半押しされ、Ｓ１スイッチがオンになると（＃６でＹＥＳ）、ステップ＃８に移行し、撮影準備のための処理が行なわれる。
【０１０８】
すなわち、まず、測距部４１により被写体距離ＤＡが検出される（＃８）。測距部４１は投光部４１１から被写体に向けて測距用の赤外光を投光し、その赤外光の被写体からの反射光を受光部４１２で受光して測距用のデータを取り込み、このデータを用いて撮像画面中央における撮像面から被写体までの距離ＤＡを算出する。続いて、算出された被写体距離ＤＡに基づいて撮影レンズ２を合焦位置に設定するためのレンズ駆動量が演算される（＃１０）。
【０１０９】
続いて、正反射警告スイッチ２０により正反射警告が指示されているか否かが判別され（＃１２）、正反射警告が指示されていれば（＃１２でＹＥＳ）、ステップ＃１４〜＃２０で正反射警告処理が行なわれ、正反射警告が指示されていなければ（＃１２でＮＯ）、ステップ＃１４〜＃２０はスキップされ、正反射警告処理は行なわれない。
【０１１０】
正反射警告処理では、まず、被写体距離ＤＡ及び撮影レンズ２の焦点距離ｆから撮影画面中央の撮影倍率ｍＡ（＝ａ・ｆ／ＤＡ，ａ；比例係数）が算出され（＃１４）、続いて、図３１に示すサブルーチン「正反射光検出」のフローチャートに従って撮影画像内の正反射光の画像の検出が行なわれる（＃１６）。
【０１１１】
撮影画像内の正反射光の画像の検出は、まず、撮影倍率ｍＡと予め設定された基準の撮影倍率ｍ０及びブロックサイズＳ０とを用いて撮像画像をブロック分割するためのブロックサイズＳ（＝Ｓ０・ｍＡ／ｍ０）が算出され（＃７０）、更に、このブロックサイズＳと撮像面のサイズとから分割されるブロック数ｎが算出される（＃７２）。
【０１１２】
続いて、ブロック数をカウントするカウンタＭが「１」に設定される（＃７４）。なお、正反射光検出処理におけるブロックの順番は、図１６に示すブロック分割においてラスター方向に行なうようにしているので、Ｍ＝Ｌ・（Ｉ−１）＋Ｊとなり、ブロックＢ（Ｉ，Ｊ）はブロックＢ（Ｌ・（Ｉ−１）＋Ｊ）に対応している。
【０１１３】
続いて、ブロックＢ（Ｍ）内に含まれる全画素データが全て読み出され（＃７６）、これらの画素データの内、ハイレベル側のＸ％を除いた画素データを用いて図２２もしくは図２７に示すようなヒストグラムが作成される（＃７８）。続いて、ヒストグラムの白地部分に対応する山Ｕのピーク値に対応する階級ｗが算出され（＃８０）、この階級ｗがヒストグラムの最大階級ｐ（＝２５５）に略一致しているか否かが判別される（＃８２）。
【０１１４】
階級ｗが最大階級ｐに略一致していれば（＃８２でＹＥＳ）、そのブロック内に正反射光の画像が含まれると判断し、フラグＦＬＡＧＨを「１」にセットして（＃９０）、リターンする。なお、フラグＦＬＡＧＨは正反射光の検出フラグで、「１」にセットされていれば、撮影画像内に正反射光の画像が含まれていることを示し、「０」にリセットされていれば、撮影画像内に正反射光の画像が含まれていないことを示す。
【０１１５】
ステップ＃８２で階級ｗが最大階級ｐに略一致していなければ、カウンタＭのカウント値が「１」だけインクリメントされた後（＃８４）、このカウント値Ｍが総ブロック数ｎより大きいか否かが判別され（＃８６）、Ｍ≦ｎであれば（＃８６でＮＯ）、ステップ＃７６に戻り、次のブロックＢ（Ｍ）について正反射光の画像が含まれているか否かの判別が行なわれる（＃７６〜＃８２）。
【０１１６】
そして、全てのブロックＢ（Ｍ）で正反射光の画像が検出されなければ（＃８６でＹＥＳ）、撮影画像には正反射光の画像が含まれていないと判断し、フラグＦＬＡＧＨを「０」にリセットして（＃８８）、リターンする。
【０１１７】
図２８に戻り、正反射光の検出処理が終了すると、フラグＦＬＡＧＨにより正反射光の画像の有無が判別され（＃１８）、フラグＦＬＡＧＨが「１」にセット（正反射光の画像有り）されていれば（＃１８でＹＥＳ）、ブザー１６及びＬＥＤ表示２４により正反射警告が行なわれる（＃２０）。一方、フラグＦＬＡＧＨが「０」にリセット（正反射光の画像無し）されていれば（＃１８でＮＯ）、ステップ＃２０はスキップされ、ブザー１６及びＬＥＤ表示２４による正反射警告は行なわれない。
【０１１８】
続いて、測光部４０により被写体の輝度のデータ（測光データ）が取り込まれ（＃２２）、この測光データに基づき露出制御値が演算される（＃２４）。更に照度ムラ補正スイッチ１７により照度ムラ補正が指示されているか否かが判別され（図２９，＃２６）、照度ムラ補正が指示されていれば（＃２４でＹＥＳ）、発光制御部３４に発光禁止の制御信号が出力されてフラッシュ７の発光が禁止され（＃２８）、照度ムラ補正が指示されていなければ（＃２４でＮＯ）、ステップ＃２８はスキップされ、フラッシュ７の発光禁止は行なわれない。これにより撮影準備処理は終了し、レリーズ待機状態となる。
【０１１９】
なお、照度ムラ補正が指示されているときにフラッシュ７の発光を禁止するようにしているのは、例えばホワイトボード２３に対して正面から撮影するシーンでフラッシュ７が自動発光される場合、フラッシュ光がホワイトボード２３で全反射されて撮像画像の文字が判読不能になるおそれがあるので、このような撮影ミスを防止するためである。
【０１２０】
レリーズ待機状態で、シャッタボタン１０が全押しされてＳ２スイッチがオンになると（＃３０でＹＥＳ）、ステップ＃３４に移行してレリーズ動作が行なわれる。一方、シャッタボタン１０の半押し状態が継続され、Ｓ１スイッチがオン状態であれば（＃３２でＹＥＳ）、ステップ＃８に戻り、上述の撮影準備処理が繰り返される（＃８〜＃３２のループ）。また、シャッタボタン１０の操作が解除され、Ｓ１スイッチがオフ状態になると（＃３２でＮＯ）、ステップ＃２に戻る。
【０１２１】
レリーズ動作に移行すると、まず、レンズ駆動量のデータがレンズ駆動部３７に出力され、撮影レンズ２の焦点調節が行なわれた後（＃３４）、露出制御値の絞り値Ａｖのデータが絞り駆動部３９に出力され、絞り２２の開口量が調節される（＃３６）。
【０１２２】
続いて、照度ムラ補正が指示されているか否かが判別され（＃３８）、照度ムラ補正が指示されていれば（＃３８でＹＥＳ）、画像を複数のブロックに分割する際のブロックサイズＳが演算される（＃４０）。この演算は正反射光検出処理におけるステップ＃７０と同様の方法で演算される。
【０１２３】
ブロックサイズの設定処理が終了すると、ステップ＃２４で算出されたシャッタスピードのデータがＣＣＤ駆動部３１に出力され、ＣＣＤ２１による撮像動作（積分動作）が開始される（＃４２）。ＣＣＤ２１はＣＣＤ駆動部３１からの駆動制御信号に基づき感光部の電荷をリセットした後、所定の時間だけ感光部に電荷を蓄積（電荷積分）することにより被写体を撮像する。
【０１２４】
ＣＣＤ２１による撮像動作が終了すると、感光部の各画素に蓄積された電荷（画素データ）の画像処理部３２への読出しが開始される（図３０，＃４４）。ＣＣＤ２１の画素データは、図３５に示すように、縦ライン毎に矢印方向に順次、読み出されて画像処理部３２に入力される。画像処理部３２に入力された画素信号はＡ／Ｄ変換器３２１で画素データに変換された後、画像メモリ３２２に記憶されるとともに、第１γ特性設定部３２３に入力される。
【０１２５】
続いて、照度ムラ補正が指示されているか否かが判別され（＃４６）、照度ムラ補正が指示されていれば（＃４６でＹＥＳ）、図３２に示すサブルーチン「γ特性設定」のフローチャートに従って第１γ特性設定部３２３により各ブロック毎の照度ムラ補正用のγ特性が設定される（＃４８）。
【０１２６】
各ブロックの照度ムラ補正用のγ特性の設定は、まず、ブロック数をカウントするカウンタＭが「１」に設定される（＃１００）。なお、γ特性設定処理におけるブロックの順番は上述の正反射光検出処理におけるブロックの順番と同一である。
【０１２７】
続いて、ブロックＢ（Ｍ）内に含まれる全画素データが全て読み出され（＃１０２）、これらの画素データの内、ハイレベル側のＸ％を除いた画素データを用いて図２２もしくは図２７に示すようなヒストグラムが作成される（＃１０４）。続いて、ヒストグラムの白地部分に対応する山Ｕのピーク値に対応する階級ｗが算出され（＃１０６）、この階級ｗがブロック（Ｍ）に対するγ特性の白色飽和レベルＷ（Ｍ）として記憶される（＃１０８）。
【０１２８】
続いて、カウンタＭのカウント値が「１」だけインクリメントされた後（＃１１０）、このカウント値Ｍが総ブロック数ｎより大きいか否かが判別され（＃１１２）、Ｍ≦ｎであれば（＃１１２でＮＯ）、ステップ＃１００に戻り、次のブロックＢ（Ｍ）について白色飽和レベルＷ（Ｉ）の設定が行なわれる（＃１０２〜＃１１０）。そして、Ｍ＞ｎになると（＃１０２でＹＥＳ）、全ブロックＢ（Ｍ）についてγ特性の白色飽和レベルＷ（Ｍ）の設定が終了したと判断して、リターンする。
【０１２９】
図３０のフローチャートに戻り、続いて、ブロックＢ（Ｉ）毎に設定された照度ムラ補正用のγ特性の白色飽和レベルＷ（Ｉ）の補間演算が行なわれ、各ブロックＢ（Ｉ）の中心位置以外の画素位置における照度ムラ補正用のγ特性が設定される（＃５０）。続いて、設定されたγ特性は第２γ補正部３２６に入力される一方、画像メモリ３２２からスイッチ回路３２７を介して第２γ補正部３２６に画素データが読み出され、この画素データはその画素位置に対応する照度ムラ補正用のγ特性を用いてガンマ補正が行なわれた後、更に黒色強調用のγ特性を用いてガンマ補正が行なわれる（＃５２）。
【０１３０】
一方、ステップ＃４６で照度ムラ補正が指示されていなれば（＃４６でＮＯ）、画像メモリ３２２からスイッチ回路３２７を介して第１γ補正部３２５に画素データが読み出され、この画素データは予め設定された自然画用のγ特性によりガンマ補正が行なわれる（＃５４）。続いて、ガンマ補正後の画素データはスイッチ回路３２８を介してハードディスクカード１３に書き込まれる（＃５６）。
【０１３１】
そして、ガンマ補正が行なわれた画素データは順次、スイッチ回路３２８を介してハードディスクカード１３に書き込まれ（＃４６〜＃５８のループ）、全画素データのハードディスクカード１３への書込みが完了とすると（＃５８でＹＥＳ）、ＣＣＤ駆動部３１に画素データの読出終了の制御信号が出力されるとともに、カード駆動部３３に画素データの書込終了の制御信号が出力されて１枚の撮影動作が終了し（＃６０）、次の撮影処理を行なうべくステップ＃２に戻る。
【０１３２】
上記のように、撮影準備処理において、取り込まれた画像を複数のブロックに分割し、ブロック単位で各ブロック毎に作成したヒストグラムを用いてそのブロック内に主被写体（ホワイトボード２３）で正反射された照明光の画像が含まれるか否かを判別することにより正反射光の検出を行なうようにしているので、スポット状の正反射光であっても確実に検出することができる。そして、この検出結果に応じて撮影者に正反射警告を行なうようにしているので、例えば被写体がホワイトボード２３に書かれた文字、図形等で、照明光のホワイトボード２３での正反射により文字、図形等の情報が不明瞭となる場合は、正反射警告によりこのような情報価値の低い画像の誤撮影を未然に防止することができる。
【０１３３】
なお、上記実施の形態では、正反射光が検出されると、正反射警告のみを行なうようにしていたが、照明光の正反射により文字情報が不明瞭となった画像は記録価値が低いので、ハードディスクカード１３のメモリ容量の有効活用を考慮し、正反射警告だけでなく、撮影画像のハードディスクカード１３への記録を禁止するようにしてもよい。この場合は、図３３に示すように、図２９のフローチャートにおいて、例えばステップ＃３０とステップ＃３４との間にフラグＦＬＡＧＨのセット状態の判別（ステップ＃１８に相当する正反射光の画像の有無の判別）を行なうステップ＃３１を挿入し、フラグＦＬＡＧＨが「１」にセットされていれば（＃３１でＹＥＳ）、ステップ＃８に戻って撮影準備処理を行ない、フラグＦＬＡＧＨが「０」にリセットされていれば（＃３１でＮＯ）、ステップ＃３４に移行する処理にするとよい。すなわち、フラグＦＬＡＧＨが「０」にリセットされない限り、Ｓ２スイッチがＯＮ状態になってもこれを無視して撮影準備処理を繰り返すような処理にするとよい。
【０１３４】
また、上記実施の形態では、シャッタボタン１０が全押しされると、正反射警告の有無に拘らず、取り込まれた画像に対して照度ムラ補正スイッチ１７による指示に応じた所定の画像処理（照度ムラ補正）を行なった後、ハードディスクカード１３に記録するようにしていたが、正反射警告が行なわれたときは、照度ムラ補正スイッチ１７の設定状態に拘らず、取り込まれた画像に対して通常の写真撮影に対する画像処理（すなわち、照度ムラ補正を行なわない。）を行なった後、ハードディスクカード１３に記録するようにしてもよい。
【０１３５】
この場合は、図３４に示すように、図２９，図３０のフローチャートにおいて、ステップ＃３６とステップ＃３８との間とステップ＃４４とステップ＃４６との間とにそれぞれフラグＦＬＡＧＨによる正反射光の画像の有無の判別を行なうステップ＃３７とステップ＃４５と挿入し、ステップ３７でフラグＦＬＡＧＨが「１」にセットされていれば（＃３７でＹＥＳ）、ステップ＃３８，＃４０をスキップし、ステップ＃４５で、フラグＦＬＡＧＨが「１」にセットされていれば（＃４５でＹＥＳ）、ステップ＃５４に移行する処理にするとよい。
【０１３６】
このように撮影画像に正反射光の画像が含まれるときは、照度ムラ補正が指示されていてもガンマ補正を通常の写真撮影に対するガンマ補正に切り換えて画像処理を行なうようにすると、正反射光により不明瞭となった文字情報が照度ムラ補正により更に不明瞭になり、画質及び情報価値の低下が増長されるという弊害を防止することができる。
【０１３７】
【発明の効果】
以上説明したように、本発明によれば、照度ムラ補正が指示されとき、撮像画像を複数の小画像に分割し、小画像毎にその小画像を構成する画素信号を用いて設定されたγ特性を用いて小画像単位でガンマ補正を行なうデジタルカメラであって、照度ムラ補正が指示されたとき、閃光発光を禁止するようにしたので、例えばホワイトボート上に書かれた文字、図形等の情報を撮影する場合に閃光のホワイトボートでの正反射により文字等の情報が不明瞭になった情報価値の低い被写体を誤って撮影するようなことがなく、撮影画像の照度ムラ補正を好適に行なうことができる。
【図面の簡単な説明】
【図１】本発明に係るデジタルカメラの外観を示す斜視図である。
【図２】本発明に係るデジタルカメラの背面図である。
【図３】本発明に係るデジタルカメラの光学系の概略構成図である。
【図４】ホワイトボードの照明光の照明方向の一例を示す図である。
【図５】撮像素子の出力分布を示すもので、（ａ）は縦方向の出力分布を示す図、（ｂ）は横方向の出力分布を示す図である。
【図６】撮像画像を複数のブロックに分割した状態を示す図である。
【図７】ブロック毎に設定される白地を強調するγ特性の一例を示す図である。
【図８】黒色部分を強調とするγ特性の一例を示す図である。
【図９】黒色濃度調整スイッチによる黒色調整と黒色部分を強調とするγ特性との関係を示す図である。
【図１０】ファインダー内の正反射光警告用のＬＥＤ表示を示す図である。
【図１１】本発明に係るデジタルカメラのブロック構成図である。
【図１２】カラー画像の画像処理を行なうためのＡ／Ｄ変換器〜第１，第２γ補正部までの構成を示すブロック構成図である。
【図１３】Ｇの色成分の第１γ特性設定部の内部構成を示すブロック図である。
【図１４】画像メモリの容量を説明するための図である。
【図１５】文字画像を構成する画素データのヒストグラムの一般的な形を示す図である。
【図１６】撮像画像を複数のブロックの小画像に分割した状態を示す図である。
【図１７】不適切なサイズのブロックで撮像画像を分割した状態を示すもので、（ａ）はブロックサイズが適正値より小さい場合を示す図、（ｂ）はブロックサイズが適正値より大きい場合を示す図である。
【図１８】ファインダー視野枠内にブロック枠を表示させた状態を示す図である。
【図１９】横方向に配列されたブロックで設定された照度ムラ補正用のγ特性を用いて他のブロックに対する照度ムラ補正用のγ特性を設定する方法を説明するための図である。
【図２０】縦方向に配列されたブロックで設定された照度ムラ補正用のγ特性を用いて他のブロックに対する照度ムラ補正用のγ特性を設定する方法を説明するための図である。
【図２１】照度ムラ補正を行なうための撮像画像の他のブロック分割の方法を示す図である。
【図２２】ブロックに分割された小画像を構成する画素データのヒストグラムの一例を示す図である。
【図２３】画素データのヒストグラムを用いて決定されるγ特性を示す図である。
【図２４】緑色成分の画素データを用いて設定されたγ特性の一例を示す図である。
【図２５】各色成分の画像毎に設定されたγ特性を示す図で、（ａ）は赤色成分の画像に対するγ特性、（ｂ）は緑色成分の画像に対するγ特性、（ｃ）は青色成分の画像に対するγ特性である。
【図２６】隣接する４個のブロックの中心位置で囲まれた領域内の画素データに対するγ特性の補間演算を説明するための図である。
【図２７】正反射光の画像を含むブロックの画素データのヒストグラムの形を示す図である。
【図２８】本発明に係るカメラの撮影制御を示すフローチャートである。
【図２９】本発明に係るカメラの撮影制御を示すフローチャートである。
【図３０】本発明に係るカメラの撮影制御を示すフローチャートである。
【図３１】サブルーチン「正反射光検出」のフローチャートである。
【図３２】サブルーチン「γ特性設定」のフローチャートである。
【図３３】正反射光検出時に取込画像のハードディスクカードへの記録禁止するためのフローチャートの修正案を示す図である。
【図３４】正反射光検出時の取込画像のガンマ補正を強制的に通常のガンマ補正に切り換えるためのフローチャートの修正案を示す図である。
【図３５】ＣＣＤの画素データの読出方向を示す図である。
【図３６】デジタル複写機における取込画像のブロック分割方法を示す図である。
【符号の説明】
１  カメラ（デジタルカメラ）
２  撮影レンズ
３  測光窓
４  測距用投光窓
５  測距用受光窓
６  ファインダー対物窓
７  フラッシュ（閃光発光手段）
８  カード挿入口
９  カード取出ボタン
１０  シャッタボタン
１１  ズームスイッチ
１２  撮影／再生スイッチ
１３  ハードディスクカード
１４  メインスイッチ
１５  ファインダー接眼窓
１６  ブザー
１７  照度ムラ補正スイッチ（指示手段）
１８  黒色濃度調整スイッチ
１９  ＬＣＤ表示部
２０  正反射警告スイッチ
２１  ＣＣＤエリアセンサ（撮像手段）
２２  絞り
２３  ホワイトボード
２４  ＬＥＤ表示
３０  ＣＰＵ（発光禁止手段）
３１  ＣＣＤ駆動部
３２  画像処理部
３２１  Ａ／Ｄ変換器
３２２  画像メモリ
３２３  第１γ特性設定部
３２３ａ  ブロックサイズ設定部（画像分割手段）
３２３ｂ  アドレス生成部
３２３ｃ  ヒストグラム作成部
３２３ｄ  白色飽和レベル設定部
３２３ｅ  白色飽和レベル補間演算部
３２３ｆ  γ特性設定部
３２３ｇ  正反射検出部（判別手段）
３２４  第２γ特性設定部
３２５  第１γ補正部
３２６  第２γ補正部
３２７  スイッチ回路
３３  カード駆動部
３４  発光制御部
３５  ＬＣＤ駆動部
３６  メモリ
３７  レンズ駆動部
３８  ズーム駆動部
３９  絞り駆動部
４０  測光部
４１  測距部
４２  ファインダー視野枠
４３  ブロック枠
【図１】
0003631575.tif 000003
【図２】
0003631575.tif 000004
【図３】
0003631575.tif 000005
【図４】
0003631575.tif 000006
【図５】
0003631575.tif 000007
【図６】
0003631575.tif 000008
【図７】
0003631575.tif 000009
【図８】
0003631575.tif 000010
【図９】
0003631575.tif 000011
【図１０】
0003631575.tif 000012
【図１１】
0003631575.tif 000013
【図１２】
0003631575.tif 000014
【図１３】
0003631575.tif 000015
【図１４】
0003631575.tif 000016
【図１５】
0003631575.tif 000017
【図１６】
0003631575.tif 000018
【図１７】
0003631575.tif 000019
【図１８】
0003631575.tif 000020
【図１９】
0003631575.tif 000021
【図２０】
0003631575.tif 000022
【図２１】
0003631575.tif 000023
【図２２】
0003631575.tif 000024
【図２３】
0003631575.tif 000025
【図２４】
0003631575.tif 000026
【図２５】
0003631575.tif 000027
【図２６】
0003631575.tif 000028
【図２７】
0003631575.tif 000029
【図２８】
0003631575.tif 000030
【図２９】
0003631575.tif 000031
【図３０】
0003631575.tif 000032
【図３１】
0003631575.tif 000033
【図３２】
0003631575.tif 000034
【図３３】
0003631575.tif 000035
【図３４】
0003631575.tif 000036
【図３５】
0003631575.tif 000037
【図３６】
0003631575.tif 000038